(57)【要約】【課題】  電子楽器を構成する操作子毎のパラメータを調整する際、初期パラメータ値からの変位量が一見して明らかでない場合があった。【解決手段】  タッチパネル式の入力デバイスを有する表示画面と、電子楽器を認証し、認証された電子楽器との接続を確立する手段と、認証された電子楽器の操作子毎のパラメータを調整する手段と、操作子毎に調整された調整パラメータの初期パラメータ値からのパラメータ変位量を表示画面に表示する手段と、調整パラメータを認証された電子楽器に送信する手段と、を備える電子楽器制御端末を提供することを特徴とする。したがって、鍵毎に初期パラメータ値からのパラメータ変位量が棒グラフで表示されるため、音高や音量の変位量が一見して明らかとなる。【選択図】図１
2018159769.tif 000002
【特許請求の範囲】
【請求項１】
タッチパネル式の入力デバイスを有する表示画面と、
電子楽器を認証し、認証された電子楽器との接続を確立する手段と、
前記認証された電子楽器の操作子毎のパラメータを調整する手段と、
前記操作子毎に調整された調整パラメータの初期パラメータ値からのパラメータ変位量を前記表示画面に表示する手段と、
前記調整パラメータを前記認証された電子楽器に送信する手段と、を備える電子楽器制御端末。
【請求項２】
請求項１に記載の電子楽器制御端末であって、
前記認証された電子楽器の操作子群を模した操作子群画像を前記表示画面上に表示する手段をさらに備え、
前記操作子群画像を前記表示画面上に表示する手段は、前記パラメータ変位量を操作子に対応付けて前記表示画面に表示する電子楽器制御端末。
【請求項３】
複数の操作子を有する電子楽器と、
タッチパネル式の入力デバイスを有する表示画面を備えた電子楽器制御端末であって、
電子楽器を認証し、認証された電子楽器との接続を確立する手段と、
前記認証された電子楽器の操作子毎のパラメータを調整する手段と、
前記操作子毎に調整された調整パラメータの初期パラメータ値からのパラメータ変位量を前記表示画面に表示する手段と、
前記調整パラメータを前記認証された電子楽器に送信する手段とを備えた前記電子楽器制御端末と、を備える電子楽器制御システム。
【請求項４】
電子楽器を認証し、認証された電子楽器と電子楽器制御端末との接続を確立するステップと、
前記認証された電子楽器の操作子毎のパラメータを調整するステップと、
前記操作子毎に調整された調整パラメータの初期パラメータ値からのパラメータ変位量を前記表示画面に表示するステップと、
前記調整パラメータを前記認証された電子楽器に送信するステップと、を前記電子楽器制御端末に実行させる電子楽器制御プログラム。
【請求項５】
請求項４に記載の電子楽器制御プログラムであって、
前記初期パラメータ値は、前記電子楽器制御プログラムに初期値として保存された値である電子楽器制御プログラム。
【請求項６】
電子楽器を認証し、認証された電子楽器と電子楽器制御端末との接続を確立するステップと、
前記認証された電子楽器の操作子毎のパラメータを調整するステップと、
前記操作子毎に調整された調整パラメータの初期パラメータ値からのパラメータ変位量を前記表示画面に表示するステップと、
前記調整パラメータを前記認証された電子楽器に送信するステップと、を備える電子楽器制御方法。
【発明の詳細な説明】
【技術分野】
【０００１】
本発明は、電子楽器制御端末、電子楽器制御システム、電子楽器制御プログラムおよび電子楽器制御方法であり、より具体的には、認証された電子楽器の操作子毎のパラメータの調整を行うことができる電子楽器制御端末、電子楽器制御システム、電子楽器制御プログラムおよび電子楽器制御方法に関する。
【背景技術】
【０００２】
従来から、鍵盤に関連して設定された各種パラメータを分かり易く表示する電子楽器等が存在する。この技術に関しては、例えば、特開２００６―２６７６８６号「電子楽器及びパラメータ設定表示プログラム」がある。その内容は、複数の鍵から成る鍵盤と、鍵盤の近傍に設けられ、行方向が鍵盤の鍵配列方向に一致し、列方向が鍵盤の鍵配列方向と直交する方向に一致するように、行列状に配置された複数の表示要素から成る面状表示画面と、鍵盤に関連するパラメータを設定するパラメータ設定手段と、設定されたパラメータを面状表示画面上にグラフィック図形で表示する表示手段とを具備することを特徴とするものである。
【先行技術文献】
【特許文献】
【０００３】
【特許文献１】特開２００６―２６７６８６号公報
【発明の概要】
【発明が解決しようとする課題】
【０００４】
文献１によると、鍵盤の近傍に全鍵域にわたって設けられた面状表示画面上に、鍵盤に関連して設定された各種鍵域パラメータをグラフィック図形で表示して、鍵域パラメータの表示を鍵盤に直接的に対応させるようにし、而も表示情報量を多くしているので、鍵域パラメータと鍵盤との対応関係が把握し易くなり、鍵域パラメータを分かり易く表示することができる。
しかし、文献１は、初期パラメータ値からの増減値が明確とならない。また、パラメータの設定に関し、微調整が困難な場合がある。さらには、本発明のように、楽器とは別体である端末上でパラメータを調整するものではない。
【０００５】
そこで、本発明は従来例の課題を解決するものとして、認証された電子楽器の操作子毎のパラメータの調整を行うことができる電子楽器制御端末、電子楽器制御システム、電子楽器制御プログラムおよび電子楽器制御方法を提供することを目的とする。
【課題を解決するための手段】
【０００６】
前記目的を達成するため本願の請求項１に係る端末は、タッチパネル式の入力デバイスを有する表示画面と、電子楽器を認証し、認証された電子楽器との接続を確立する手段と、認証された電子楽器の操作子毎のパラメータを調整する手段と、操作子毎に調整された調整パラメータの初期パラメータ値からのパラメータ変位量を表示画面に表示する手段と、調整パラメータを前記認証された電子楽器に送信する手段と、を備える電子楽器制御端末
である。
【０００７】
請求項２に係る端末は、請求項１に記載の電子楽器制御端末であって、認証された電子楽器の操作子群を模した操作子群画像を表示画面上に表示する手段をさらに備え、操作子群画像を表示画面上に表示する手段は、パラメータ変位量を操作子に対応付けて表示画面に表示する電子楽器制御端末である。
【０００８】
請求項３に係るシステムは、複数の操作子を有する電子楽器と、タッチパネル式の入力デバイスを有する表示画面を備えた電子楽器制御端末であって、電子楽器を認証し、認証された電子楽器との接続を確立する手段と、認証された電子楽器の操作子毎のパラメータを調整する手段と、操作子毎に調整された調整パラメータの初期パラメータ値からのパラメータ変位量を表示画面に表示する手段と、調整パラメータを認証された電子楽器に送信する手段とを備えた電子楽器制御端末と、を備える電子楽器制御システムである。
【０００９】
請求項４に係るプログラムは、電子楽器を認証し、認証された電子楽器と電子楽器制御端末との接続を確立するステップと、認証された電子楽器の操作子毎のパラメータを調整するステップと、操作子毎に調整された調整パラメータの初期パラメータ値からのパラメータ変位量を表示画面に表示するステップと、調整パラメータを認証された電子楽器に送信するステップと、を電子楽器制御端末に実行させる電子楽器制御プログラムである。
【００１０】
請求項５に係るプログラムは、請求項４に記載の電子楽器制御プログラムであって、初期パラメータ値は、電子楽器制御プログラムに初期値として保存された値である電子楽器制御プログラムである。
【００１１】
請求項６に係る方法は、電子楽器を認証し、認証された電子楽器と電子楽器制御端末との接続を確立するステップと、認証された電子楽器の操作子毎のパラメータを調整するステップと、操作子毎に調整された調整パラメータの初期パラメータ値からのパラメータ変位量を表示画面に表示するステップと、調整パラメータを認証された電子楽器に送信するステップと、を備える電子楽器制御方法である。
【発明の効果】
【００１２】
電子楽器制御端末において、認証された電子楽器の操作子毎のパラメータを調整し、操作子毎に初期パラメータ値からの増減を示すパラメータ変位量が表示されるため、操作子毎に初期パラメータ値からどれ位増減させたかが一見して分かる。
【図面の簡単な説明】
【００１３】
【図１】本発明の実施形態に係る電子楽器制御端末の主な電気的構成をブロック図で示す説明図である。
【図２】本発明の実施形態に係る認証された電子楽器の主な電気的構成をブロック図で示す説明図である。
【図３】本発明の実施形態に係る電子楽器制御端末の操作画面を示す説明図である。
【図４】本発明の実施形態に係るシステム構成を示すフロー図である。
【発明を実施するための形態】
【００１４】
以下、本実施形態に基づき、電子楽器制御端末、電子楽器制御システム、電子楽器制御プログラムの一例について説明する。ここで、本実施形態によれば、ユーザが電子楽器の操作子毎のパラメータを調整することによって、調整した操作子毎の初期パラメータ値からのパラメータ変位量の差分が一見して分かるものである。以下、電子楽器は、「鍵盤楽器」を一例とし、「操作子群」を「鍵盤」とし、「操作子」を「鍵」とし、「操作子群画像」を「鍵盤画像」として説明する。
【００１５】
図１に、実施形態である電子楽器制御端末１０の主な電気的構成を示している。実施形態に係る電子楽器制御端末１０は、接続を確立する手段（図面では「接続確立手段」とする。）１１と、表示画面１２と、操作子毎のパラメータ変位量を表示する手段（図面では「表示手段」とする。）１３と、鍵盤画像４０（図３を参照）を表示画面１２上に表示する手段（便宜上「鍵盤画像を表示する手段（図面では「鍵盤画像表示手段」）」とする。）１４と、タッチパネル１５と、送信する手段（「入出力部」とする。）１７と、外部機器入出力部１８と、ＣＰＵ１９と、フラッシュメモリ２０と、ＲＡＭ２１とを備えており、これらがシステムバス２５によって電気的に接続されている。
【００１６】
また、タッチパネル１５に接続する検出回路（不図示）と、表示画面１２に接続する表示回路（不図示）とを設けている。そして、ＣＰＵ１９が、フラッシュメモリ２０に記憶されているプログラム（本実施形態のプログラムなど）を実行することにより、検出回路によるタッチパネル１５の操作検出、表示回路による表示画面１２への表示、入出力部１７による識別番号（ＩＤ）の入力や調整パラメータの出力、タッチパネル１５での操作によるパラメータの調整、信号処理等の制御を行う。
【００１７】
電子楽器制御端末１０は接続を確立する手段１１を備え、この接続を確立する手段１１は、鍵盤楽器を認証することによって、認証された鍵盤楽器３０との接続を確立することができ、これによって電子楽器制御端末１０と認証された鍵盤楽器３０との間において通信可能となる。具体的には、後述するように、タッチパネル１５の操作による識別番号の入力がなされ、鍵盤楽器３０から出力された識別番号が入出力部１７から入力され、そして、判定する手段（不図示）により両識別番号が一致した場合に認証する。
【００１８】
ここで、まず、認証について簡単に説明する。操作空間には複数の電子楽器制御端末１０及び複数の鍵盤楽器が存在しうる場合がある。ユーザは、電子楽器制御端末１０と通信可能となる鍵盤楽器を特定するための認証確立処理を行ない、鍵盤楽器３０を接続対象デバイスとし、電子楽器制御端末１０と認証された鍵盤楽器３０との間で連携して通信を行うことができるようにする。すなわち、本実施形態においては、電子楽器制御端末１０の接続を確立する手段１１により、鍵盤楽器を認証することで、電子楽器制御端末１０と認証された鍵盤楽器３０とが接続を確立し、通信可能となる。
【００１９】
表示画面１２は、タッチパネル式の入力デバイスで、平板状の液晶表示装置によって構成されている。また、表示画面１２は、グラフィカル・ユーザー・インターフェース（ＧＵＩ）を表示することができる大きさに形成されている。ここでのグラフィカル・ユーザー・インターフェースは、パラメータの値の調整などを行うためのものである。表示画面１２には、表示すべき内容を表わす表示データが供給され、表示データに基づいてパラメータ変位量５６等の画像（例えば、棒グラフの画像等）を表示する。表示回路は、ＣＰＵ１９からの指示に基づき、その表示内容を制御するための回路である。
【００２０】
表示する手段１３は、鍵盤楽器３０の鍵（操作子）３１毎に調整された調整パタメータの初期パラメータ値５１からのパラメータ変位量５６、パラメータ背景画像５０等の種々の画像を液晶パネル（ＬＣＤ）等の表示画面１２に表示し、また、鍵盤画像を表示する手段１４は、鍵盤楽器３０の鍵盤を模した鍵盤画像（操作子群画像）４０を表示画面１２上に表示する。
【００２１】
タッチパネル１５は、静電容量方式であり、表示画面１２の表面に積層されている。タッチパネル１５は、表面に操作面を有する保護膜（不図示）と、この保護膜の下層に配置された電極（不図示）とを備え、タッチを検出する。
【００２２】
調整する手段は、鍵３１毎のパラメータの調整手段であり、例えば、タッチパネル１５等での操作（プラスボタン５３又はマイナスボタン５４の操作や、スライダー５２の操作等）によって鍵３１毎の音高（ピッチ）、音量等のパラメータを調整、変位させる。ここで、ピッチは音程を示すものであり、周波数によって決定される。調整する手段は各鍵３１の周波数を調整することによって、ピッチを調整して鍵３１毎のパラメータを調整するものである。
【００２３】
入出力部１７は、調整する手段により調整された調整パラメータ（例えば、具体的な値）等を鍵盤楽器３０に送信するものであり、また、鍵盤楽器３０から出力された識別番号を入力するものである。
【００２４】
ＣＰＵ１９は、電子楽器制御端末１０の制御を統括する。また、パラメータの動作を統括制御する制御手段であり、フラッシュメモリ２０に記憶されたパラメータ設定用の所要のプログラムを実行することにより、パラメータ設定処理などの処理を行う。
【００２５】
フラッシュメモリ２０は、ＣＰＵ１９が実行する各種のコンピュータプログラム等を記憶する書き換え可能な不揮発性記憶手段で、ＣＰＵ１９は必要に応じてフラッシュメモリ２０からコンピュータプログラムを読み出して実行する。また、各種プログラムに加えて、初期パラメータ値５１、表示画面１２に表示される各種画像などの図形データ及び文字データなどの各種データが記憶されている。
【００２６】
ＲＡＭ２１には、ＣＰＵ１９の処理結果および演算結果を一時的に記憶したりする他、ＣＰＵ１９がコンピュータプログラムを実行する際のワークメモリとして機能する。
【００２７】
外部機器入出力部１８は、他の表示装置、マウスなどのポインティングディバイス、文字入力用のキーボード、操作パネル、他の音楽装置、パーソナルコンピュータ、スピーカなどの外部機器（不図示）との間でデータの入出力を行うためのインターフェースである。
【００２８】
図２に、本実施形態の鍵盤楽器３０の主な電気的構成を示している。鍵盤楽器３０は、従来の鍵盤楽器とほぼ同様に構成される。すなわち、図２に示すように、例えば、鍵３１、信号処理部３２、Ｄ／Ａ変換部３３、スピーカ３４などを備え、ユーザによる鍵３１の操作に応じて信号を生成し、この信号に基づいて楽音をスピーカ３４から放音するように構成される。そして、既述のように、電子楽器制御端末１０において認証されることによって、電子楽器制御端末１０との接続が確立される。
【００２９】
鍵３１は、配列された複数の白鍵及び黒鍵からなる鍵を備え、各鍵３１の操作に応じた信号を信号処理部３２に出力する。信号は、操作された鍵３１の位置を示す情報（キーナンバ）、押鍵（操作子による操作）したことを示す情報（キーオン）、離鍵したことを示す情報（キーオフ）、および押鍵速度（ベロシティ）等を含む。具体的には、押鍵されると、キーオン、ベロシティおよびキーナンバが対応付けられて出力され、離鍵するとキーオフが出力される。
【００３０】
信号処理部３２は、例えばＭＩＤＩ(登録商標)規格の音源を備え、ユーザによる鍵３１の操作に応じて出力された上記信号からリアルタイムに波形合成することによりデジタルデータであるオーディオ信号を生成するオーディオ信号生成部として機能するものである。すなわち、鍵盤楽器３０の鍵３１をユーザが操作して演奏を開始すると、その信号処理部３２は、鍵３１の操作に応じてオーディオ信号を生成する。
【００３１】
なお、ユーザが鍵盤楽器３０の鍵盤（操作子群）の鍵３１を操作すると、スピーカ３４から音が発生するが、発生する音の種類（音高、音量など）は、鍵盤楽器３０のタッチボタン（不図示）およびスライダー（不図示）などを用いて変更することができる。
【００３２】
Ｄ／Ａ変換部３３は、信号処理部３２で生成されたオーディオ信号をアナログ信号に変換してスピーカ３４を駆動するものである。これにより、スピーカ３４から、ユーザによる鍵３１の操作に応じた楽音が放音される。
【００３３】
鍵盤楽器３０は、電子楽器制御端末１０との情報のやり取りをして各種設定を行うための機能として入出力部（不図示）を有する。
【００３４】
すなわち、入出力部は、電子楽器制御端末１０との間でデータをやりとりする入出力部であり、電子楽器制御端末１０において行った調整された調整パラメータの信号の入力を受け付けるためのインターフェースである。
【００３５】
電子楽器制御端末１０と鍵盤楽器３０はそれぞれに備えられた入出力部を介してアクセスすることができ、電子楽器制御端末１０から鍵盤楽器３０の各種設定を行うことができる。
【００３６】
本実施形態では、電子楽器制御端末１０は、鍵盤楽器３０に対して有線ケーブルを用いた有線通信、又は、ネットワークを介さない近距離無線通信によって接続されるが、ネットワークを介した通信によって接続されてもよい。近距離無線通信としては、例えば、Ｗｉ−Ｆｉ（登録商標）、Ｂｌｕｅｔｏｏｔｈ（登録商標）、赤外線通信などを用いた通信手段を用いることができる。有線ケーブルとしては、例えば、ＵＳＢケーブル等の各種ケーブルを用いることができる。
【００３７】
次に、図３に基づいて、鍵盤楽器３０の各鍵３１のパラメータ（音高、音量等）の調整を行う電子楽器制御端末１０の操作画面の一例について説明する。
【００３８】
電子楽器制御端末１０の表示画面１２に表示された各メニュー表示から「Ｅａｃｈ  Ｋｅｙ  Ｓｅｔｔｉｎｇ」ボタン６０をタッチすると、「Ｅａｃｈ  Ｋｅｙ  Ｓｅｔｔｉｎｇ」画面が表示され、「鍵盤ごとにチューニングや音量を調節できます。初期状態では標準的な調律にしています。」とメッセージが表示される。ユーザは、この「Ｅａｃｈ  Ｋｅｙ  Ｓｅｔｔｉｎｇ」画面において各鍵３１のパラメータの調整を行うことができる。
【００３９】
より具体的には、当画面上のＴｕｎｅ／Ｖｏｌｕｍｅ切替ボタンをタッチして切り替えることによって各鍵３１のパラメータの調整を行うことができる。「Ｔｕｎｅ」ボタン５８をタッチすると音高調整が可能となり、「Ｖｏｌｕｍｅ」ボタン５９をタッチすると音量調整が可能となる。以下、「Ｅａｃｈ  Ｋｅｙ  Ｓｅｔｔｉｎｇ」画面の各画像などについて説明する。
【００４０】
表示画面１２には、鍵盤楽器３０の鍵盤を模した鍵盤画像４０と、パラメータ変位量５６を表示するパラメータ背景画像５０が表示される。このパラメータ背景画像５０は、鍵３１毎のパラメータ変位量５６を表した棒グラフを表示することができる短冊状の背景画像の集合体である。そして、各短冊状の背景画像は、鍵盤画像４０の各鍵に対応付けて配置されているため、パラメータ変位量を鍵３１に対応付けて表示画面１２に表示される。そして、各種パラメータを調整することによって、パラメータ背景画像５０を構成する短冊状の背景画像上にパラメータ変位量５６を棒グラフ化したものが表示される。また、パラメータ変位量５６を表した棒グラフは、短冊状の背景画像と色調を変える等により見やすくすることができる。なお、鍵盤画像４０、及び／又は、パラメータ背景画像５０の領域を鍵盤画像の表示領域７０とする。
【００４１】
パラメータ背景画像５０には、略中央の横方向にセンターラインが表示され、ここを基準点として、この基準値から上下にパラメータを調整することができる。調整された調整パラメータは、具体的な数値として表示画面１２上に表すこともできる。初期パラメータ値５１は、例えば、電子楽器制御端末１０のアプリケーションプログラム（電子楽器制御プログラム）に初期値として保存された値である。
【００４２】
鍵盤画像４０の下には、キー表示部４１と、このキー表示部４１の左右にプラスボタン４２とマイナスボタン４３が表示される。
【００４３】
キー表示部４１の文字（図３ではＦ♯２）によって音高、又は、音量の調整を行うキー（鍵）が表示される。すなわち、キー表示部４１に表示されているキーの鍵３１が音高、又は、音量の調整対象となる鍵３１であり、キー表示部４１の左右にあるプラスボタン４２又はマイナスボタン４３をタッチすることによって調整対象となる鍵３１を変更することができる。
【００４４】
また、調整対象となる鍵盤画像４０の鍵上及びパラメータ背景画像５０を構成する短冊状の背景画像上には表示バー５５が表示される。この表示バー５５をスライドさせることによっても鍵３１の選択を行うことができる。プラスボタン４２又はマイナスボタン４３のタッチによって鍵３１の変更を行った場合、この表示バー５５も鍵盤画像４０の対象鍵上に連動する。このように、表示バー５５は、選択した鍵３１等を表示するものであり、具体的には、鍵盤画像４０の鍵、この鍵に対応付けて表示されるパラメータ背景画像５０（パラメータを調整した場合は、パラメータ変位量５６を示す棒グラフ画像も含む）の上に直線上に表示される。表示バー５５は、鍵盤画像４０の鍵、パラメータ背景画像５０を構成する短冊状の背景画像と色調を変える等により見やすくすることができる。
【００４５】
ここで、パラメータ背景画像５０は、複数の鍵（典型的には８８鍵）の各々に対応して具備される。鍵盤楽器３０に備わる８８鍵の各鍵には、個々の鍵を識別するためのキーナンバＫｎ（Ｋｎ１〜Ｋｎ８８）が割り当てられており、本実施形態では、キーナンバＫｎは、低音側から昇順で割り当てられているものとする。すなわち、例えば、キーナンバＫｎは、ピアノ鍵盤に向かって左側の鍵（低音の鍵）から右に向かって順次Ｋｎ１、Ｋｎ２、Ｋｎ３…Ｋｎ８８と割り当てられる。そして、各鍵のキーナンバに対応するようにパラメータ背景画像５０が具備される。
【００４６】
鍵盤画像の表示領域７０の隣には、スライダー５２と、このスライダー５２の上下にプラスボタン５３又はマイナスボタン５４を表示する。スライダー５２の上下、又は、スライダー５２の上下にあるプラスボタン５３やマイナスボタン５４をタッチすることによって鍵３１のパラメータの調整を行うことができる。
【００４７】
鍵盤画像の表示領域７０の上にはＣｏｍｐａｒｅボタン５７が表示されている。このＣｏｍｐａｒｅボタン５７は、調整パラメータを初期パラメータ値５１に戻すものである。
【００４８】
図４である実施形態に係るシステム構成を示すフロー図を基に、使用方法の一例を説明すると以下のようになる。
【００４９】
まず、鍵盤楽器と電子楽器制御端末１０の接続を確立するが（ＳＴ１）、その前提として、電子楽器制御端末１０において認証を行う。
【００５０】
ここで、認証の一例について説明する。まず、予め、鍵盤楽器の購入者が鍵盤楽器に付与されている識別番号を直接入力するなどの方法で電子楽器制御端末１０のフラッシュメモリ２０に記録させておく。そして、本実施形態のシステムを使用する際には、鍵盤楽器３０から識別番号が出力され、この識別番号が電子楽器制御端末１０の入出力部１７から入力される。又は、電子楽器制御端末１０において識別番号の入力画面から、鍵盤楽器３０に付与されている識別番号を入力する。鍵盤楽器３０から出力されて電子楽器制御端末１０に入力された識別番号又は電子楽器制御端末１０の識別番号の入力画面で入力した識別番号と、電子楽器制御端末１０のフラッシュメモリ２０に記録されている識別番号が一致した場合、認証されることとなる。認証された場合には、電子楽器制御端末１０と認証された鍵盤楽器３０の接続が確立され、通信可能となる。なお、認証されない場合は、電子楽器制御端末１０と鍵盤楽器の接続が確立されず、通信できない。
【００５１】
次に、鍵盤楽器３０の電源を入れ、電子楽器制御端末１０のアプケーションプログラムを起動する（ＳＴ２）。
【００５２】
そして、電子楽器制御端末１０のアプリケーションプログラムの設定を、鍵盤楽器３０に送信し、アプリーションプログラムと鍵盤楽器３０の状態を同一に、すなわち、同期する（ＳＴ３）。
【００５３】
次に、選択画面において、調律（パラメータ調整）したい鍵盤楽器３０のピアノ音色を選択する（ＳＴ４）。予め各種ピアノの音色を電子楽器制御端末１０等に記憶させておき、ユーザはその中から使用したいピアノの音色を選択することができる。
【００５４】
そして、鍵盤楽器３０のピアノ音色を選択した後は、鍵盤楽器３０の鍵盤の調律したい鍵３１を選択する（ＳＴ５）。
【００５５】
鍵盤楽器３０の鍵盤の調律したい鍵３１の選択を行った後は、この鍵３１の音高（ピッチ）、又は、音量を調整する（ＳＴ６）。具体的には、ユーザは、鍵盤楽器３０の鍵盤の鍵３１を押鍵することで試聴しながら、この鍵３１の音高（ピッチ）又は音量を調整し、好みの音高（ピッチ）又は音量とする。
【００５６】
図３の操作画面に基づいて説明すると下記のようになる。電子楽器制御端末１０で認証されると、電子楽器制御端末１０と鍵盤楽器３０の接続が確立されて通信可能となり、メニュー画面の「Ｅａｃｈ  Ｋｅｙ  Ｓｅｔｔｉｎｇ」画面をタッチすると、「Ｅａｃｈ  Ｋｅｙ  Ｓｅｔｔｉｎｇ」画面が表示される。そして、音高調整を行う場合は、画面のＴｕｎｅボタン５８をタッチすると、各鍵３１の音高が増減可能となり、スライダー５２を上下させること等によって各鍵３１の音高を増減させることができる。ここ「Ｔｕｎｅ」では、発音される音の音高（周波数）の増減（パラメータ変位量５６）が棒グラフで表示される。
【００５７】
また、音量調整を行う場合は、画面のＶｏｌｕｍｅボタン５９をタッチすると、各鍵３１の音量が増減可能となり、スライダー５２を上下させること等によって各鍵３１の音量を増減させることができる。ここ「Ｖｏｌｕｍｅ」では、発音される音の音量の増減（パラメータ変位量５６）が棒グラフで表示される。
【００５８】
さらに、調律したい別の鍵３１がある場合（ＳＴ７でＹＥＳ）、すなわち、音高、音量調整した鍵以外に他の鍵３１も音高、音量調整したい場合は、ＳＴ５の前に戻り、調律したい鍵３１を選択して音高、音量の調整等を行う。
【００５９】
別のピアノ音色に変更したい場合（ＳＴ８でＹＥＳ）は、ＳＴ４の前に戻り、別のピアノ音色に変更し、その後、調律したい鍵３１を選択して音高、音量の調整等を行う。
【００６０】
調律したい別の鍵３１がない場合（ＳＴ７でＮＯ）で、変更したい別のピアノ音色がない場合（ＳＴ８でＮＯ）は、終了する。
【００６１】
以上説明したように、本実施形態によれば、電子楽器制御端末１０のアプリケーションプログラム（電子楽器制御プログラム）に初期値として保存された音高又は音量と異なるユーザ好みの音高又は音量とすることができ、その差分が一見してわかることとなる。また、電子楽器制御端末１０で鍵盤楽器３０の鍵３１毎の調律ができるので、鍵盤楽器３０から離れた場所で鍵盤楽器３０の調律（パラメータの調整）を行うことができる。さらには、表示画面１２上には、タッチパネル１５等での操作によって、鍵３１毎に調整された調整パラメータの初期パラメータ値５１からのパラメータ変位量５６が棒グラフで表示されるため、音高や音量の変位量をグラフィカルに表示することができる。また、表示バー５５が、鍵盤画像４０の鍵、この鍵に対応付けて表示されるパラメータ背景画像５０（パラメータを調整した場合は、パラメータ変位量５６である棒グラフ画像も含む）の上に直線上に表示されるため、どの鍵３１のパラメータがどれ位変位したか一見して確認することができる。さらには、スライダー５２を使用することによって細かな調整が可能となる。
【００６２】
尚、説明した前記実施形態に限定されるものではなく、実施形態の趣旨を逸脱しない範囲内での種々の改良、変更が可能であることは言うまでもない。
【００６３】
本実施形態では、鍵盤楽器３０を例に説明した。具体的には、例えば、電子ピアノ、電子オルガン、電子チェンバロ、シンセサイザー等の電子楽器としての鍵盤楽器や、電子木琴、電子鉄琴等の電子鍵盤打楽器等が該当する。また、他の例として、電子バイオリン等の弦楽器、電子ドラム等の打楽器、電子サックス等の管楽器、またはウィンドシンセサイザー等、鍵盤を構成要素としない電子楽器であってもよい。この場合、弦楽器の操作子は弦、フレット、ピックアップ等、打楽器の操作子はパッド等、管楽器やウィンドシンセサイザーの操作子はキー等が考えられる。
【００６４】
表示画面１２は、液晶ディスプレイの他、有機ＥＬパネルにより構成することもできる。また、鍵３１毎の音高、音量の調整の他、鍵３１毎のタッチ感や音色を調整することもできる。
【００６５】
データの取扱いに関しては、例えば、フラッシュメモリ２０に設定及び調整パラメータを保存することができ、保存されているデータを鍵盤楽器３０に送信することができる。
【００６６】
また、ＣＰＵ１９は、通常の稼働状態と、消費電力を抑えて待機するスリープ状態と、を切り替えて制御を行うことができる。したがって、ＣＰＵ１９は、様々なスリープ状態からの起動条件を有することとなる。スリープ状態から起動する場合、表示画面１２に関しては、スリープする直前の画面を表示し、スリープする直前の設定、調整パラメータを全て引き継ぐこととなる。
【００６７】
アプリケーションプログラム起動中は、スクリーンロックを無効化することも可能である。
【００６８】
操作画面「Ｅａｃｈ  Ｋｅｙ  Ｓｅｔｔｉｎｇ」中で説明したスライダー５２や、プラスボタン５３又はマイナスボタン５４等の操作ボタンや、鍵盤画像４０、パラメータ背景画像５０等の位置は、どの位置にあってもよい。なお、操作画面の名称は、「Ｅａｃｈ  Ｋｅｙ  Ｓｅｔｔｉｎｇ」に限らないことは勿論である。
【００６９】
認証に関しては、電子楽器制御端末１０側で行う他の例も考えられる。例えば、鍵盤楽器は送信部を介して電子楽器制御端末１０に識別信号を送信する。電子楽器制御端末１０は受信部などによって、識別信号を受信し、電子楽器制御端末１０のＣＰＵの制御の下に識別信号が電子楽器制御端末１０の記憶部に予め記憶されている識別信号と一致するか否かを判定する。識別信号が記憶部に予め記憶されている識別信号と一致する場合には、電子楽器制御端末１０の表示画面１２に認証された旨を表す認証メッセージを表示させる。これによって、電子楽器制御端末１０と鍵盤楽器３０との接続が確立され、通信が可能となる。識別信号が記憶部に予め記憶されている識別信号と一致しない場合には、電子楽器制御端末１０と鍵盤楽器との接続は確立されず、通信不可能となる。
【００７０】
また、鍵盤楽器側で認証を行う例も考えられる。例えば、電子楽器制御端末１０は送信部を介して鍵盤楽器に識別信号を送信する。鍵盤楽器は受信部によって、識別信号を受信し、鍵盤楽器側のＣＰＵの制御の下に識別信号が鍵盤楽器の記憶部に予め記憶されている識別信号と一致するか否かを判定する。識別信号が記憶部に予め記憶されている識別信号と一致する場合には、電子楽器制御端末１０の表示画面１２に認証された旨を表す認証メッセージを表示させる。これによって、電子楽器制御端末１０と鍵盤楽器３０との接続が確立され、通信が可能となる。識別信号が記憶部に記憶されている識別信号と一致しない場合には、電子楽器制御端末１０と鍵盤楽器３０との接続は確立されず、通信不可能となる。
【００７１】
実施形態の各手段、各回路等の電気的構成は、実施形態の趣旨を逸脱しない限りにおいて適宜変更、追加、削除、交換等を実施することができる。また、例えば、電子楽器制御端末１０に備えた各手段、各回路等の電気的構成を、鍵盤楽器３０に備えることもできる。また、鍵盤楽器３０に備えた各電気的構成を電子楽器制御端末１０に備えることもできる。
【００７２】
フロー図で説明した各ステップは、実施形態の趣旨を逸脱しない限りにおいて適宜順番の変更、ステップの追加、削除、交換等を実施することができる。例えば、次のような例も考えられる。
【００７３】
まず、電子楽器制御端末１０のアプケーションプログラムを起動する。次に、鍵盤楽器と電子楽器制御端末１０を接続し、その後、電子楽器制御端末１０において認証を行う。そして、鍵盤楽器を認証した場合は、電子楽器制御端末１０と鍵盤楽器３０との接続が確立し、調整したい鍵３１の選択を行い、鍵３１の音高、音量などのパラメータの調整を行う。
【符号の説明】
【００７４】
１０          電子楽器制御端末
１１          接続を確立する手段
１３          表示する手段
１９          ＣＰＵ
３０          認証された電子楽器（鍵盤楽器）
３１          操作子（鍵）
３２          信号処理部
４０          操作子群画像（鍵盤画像）
５１          初期パラメータ値
５６          パラメータ変位量
【図１】
2018159769.tif 000003
【図２】
2018159769.tif 000004
【図３】
2018159769.tif 000005
【図４】
2018159769.tif 000006